(57)【要約】【課題】糸継作業を効率良く行い、糸継ぎの待ち時間を短縮できる糸巻取機を提供する。【解決手段】精紡機１は、複数の紡績ユニット２と、少なくとも１台の糸継台車３と、を備える。紡績ユニット２は、紡績糸を巻き取る。糸継台車３は、紡績ユニット２に対する糸継動作を行う。紡績ユニット２は、糸切れが発生した後、糸継動作を開始可能な状態に準備する準備動作を行う。糸継台車３は、糸切れが発生した紡績ユニット２に対する糸継動作を行う動作位置に位置するように、現在位置を維持する、又は、動作位置に向かって走行を開始する、又は、所定計画走行を中止し動作位置で停止する糸継走行を行う。準備動作が完了した紡績ユニット２である完了紡績ユニットがなく、準備動作を行う紡績ユニット２である準備紡績ユニット２ａがある場合、糸継台車３は、準備紡績ユニット２ａに対する糸継走行を行う。【選択図】図３
2019196244.tif 000002
【特許請求の範囲】
【請求項１】
糸を巻き取る複数の巻取ユニットと、
前記巻取ユニットに対する糸継動作を行う少なくとも１台の糸継台車と、
を備え、
前記巻取ユニットは、糸切れが発生した後、前記糸継動作を開始可能な状態に準備する準備動作を行い、
前記糸継台車は、糸切れが発生した前記巻取ユニットに対する前記糸継動作を行う動作位置に位置するように、現在位置を維持する、又は、前記動作位置に向かって走行を開始する、又は、現在の走行を中止し前記動作位置で停止する糸継走行を行い、
前記準備動作が完了した前記巻取ユニットである完了巻取ユニットがなく、前記準備動作中の前記巻取ユニットである準備巻取ユニットがある場合、前記糸継台車は、前記準備巻取ユニットに対する前記糸継走行を行うことを特徴とする糸巻取機。
【請求項２】
請求項１に記載の糸巻取機であって、
前記巻取ユニットは、糸切れが発生した後、前記準備動作が完了する前に、糸継予告信号を送信する制御部を備えることを特徴とする糸巻取機。
【請求項３】
請求項２に記載の糸巻取機であって、
前記巻取ユニットは、前記準備動作の成否を検出する検出部を備え、
前記制御部は、前記検出部が前記準備動作の失敗を検出した場合に、前記糸継予告信号を取り消すことを特徴とする糸巻取機。
【請求項４】
請求項２又は３に記載の糸巻取機であって、
前記制御部は、前記準備動作が完了した後、準備完了信号を送信することを特徴とする糸巻取機。
【請求項５】
請求項４に記載の糸巻取機であって、
前記糸継台車は、ある前記準備巻取ユニットに対する前記糸継走行を行う間に、前記準備巻取ユニットの前記準備動作の動作時間に基づいて定められた第１走行時間内で現在の走行位置から到達可能な範囲内に位置する他の前記準備巻取ユニットが前記糸継予告信号を送信した場合、当初の前記準備巻取ユニットに対する前記糸継走行を中止し、前記糸継予告信号を送信した他の前記準備巻取ユニットに対する前記糸継走行を行うことを特徴とする糸巻取機。
【請求項６】
請求項４又は５に記載の糸巻取機であって、
前記糸継台車は、ある前記準備巻取ユニットが前記糸継予告信号を送信し、ある前記完了巻取ユニットが前記準備完了信号を送信した場合、前記準備完了信号に基づく前記糸継走行を優先して行うことを特徴とする糸巻取機。
【請求項７】
請求項４から６までの何れか一項に記載の糸巻取機であって、
前記糸継台車は、前記糸継予告信号を送信した前記準備巻取ユニットに対する前記糸継走行を行う間に、前記準備巻取ユニットの前記準備動作の動作時間に基づいて定められた第２走行時間内で現在の走行位置から到達可能な範囲内に位置する前記完了巻取ユニットが前記準備完了信号を送信した場合、前記準備巻取ユニットに対する前記糸継走行を中止し、前記準備完了信号を送信した前記完了巻取ユニットに対する前記糸継走行を行うことを特徴とする糸巻取機。
【請求項８】
請求項２から７までの何れか一項に記載の糸巻取機であって、
繊維束に旋回空気流によって撚りを加えて糸を生成する空気紡績装置を備え、
前記巻取ユニットは、糸切れが発生した後、前記糸継台車が前記糸継動作を行う前の期間に、前記準備動作として、前記空気紡績装置のクリーニング動作を行い、
前記糸継台車は、前記準備巻取ユニットが前記糸継予告信号を送信した場合、当該準備巻取ユニットが前記クリーニング動作を行う間に、前記糸継走行を行うことを特徴とする糸巻取機。
【請求項９】
請求項２から８までの何れか一項に記載の糸巻取機であって、
糸を一時的に貯留する糸貯留ローラを備え、
前記巻取ユニットは、糸切れが発生した後、前記糸継台車が前記糸継動作を行う前の期間に、前記準備動作として、前記糸貯留ローラに残っている糸を当該糸貯留ローラから除去する残糸除去動作を行い、
前記糸継台車は、前記準備巻取ユニットが前記糸継予告信号を送信した場合、当該準備巻取ユニットが前記残糸除去動作を行う間に、前記糸継走行を行うことを特徴とする糸巻取機。
【請求項１０】
請求項２から９までの何れか一項に記載の糸巻取機であって、
前記巻取ユニットのそれぞれは、表示部を備え、
前記表示部は、前記糸継予告信号を送信したことを表示することを特徴とする糸巻取機。
【請求項１１】
複数の巻取ユニットで糸を綾振りながら巻き取ってパッケージを形成する糸巻取方法において、
前記巻取ユニットにおいて、糸切れが発生した後、糸継動作を開始可能な状態に準備する準備工程と、
前記巻取ユニットに対する糸継動作を行う糸継台車が、糸切れが発生した前記巻取ユニットに対する前記糸継動作を行う動作位置に位置するように、現在位置を維持する、又は、前記動作位置に向かって走行を開始する、又は、現在の走行を中止し前記動作位置で停止する糸継走行工程と、
を含み、
前記準備工程が完了した前記巻取ユニットである完了巻取ユニットがなく、前記準備工程を行う中の前記巻取ユニットである準備巻取ユニットがある場合、前記準備巻取ユニットに対する糸継走行工程が行われることを特徴とする糸巻取方法。
【発明の詳細な説明】
【技術分野】
【０００１】
本発明は、主として、巻取ユニットに対して走行可能な糸継台車を有する糸巻取機に関する。
【背景技術】
【０００２】
従来から、糸巻取機において、巻取ユニットが出力する糸継信号に基づいて糸継台車が走行して糸継動作を行う構成が知られている。特許文献１は、この種の構成を有する紡績機を開示する。
【０００３】
特許文献１の紡績機は、空気紡績ノズルにより紡績された糸をパッケージに巻き取る複数のユニット（巻取ユニット）を備える。あるユニットに糸切れが発生すると、当該ユニットが糸継を必要とする信号（糸継信号）を発し、作業台車（糸継台車）は、その信号を受けて当該ユニットに対する作業位置で停止し、糸継動作を行う構成となっている。
【先行技術文献】
【特許文献】
【０００４】
【特許文献１】特開平１０−００１２５９号公報
【発明の概要】
【発明が解決しようとする課題】
【０００５】
上記特許文献１では言及されていないが、紡績機では、糸切れが発生した場合、糸継ぎを行って巻取りを再開する前に、紡績ノズルに詰まる繊維屑等を除去することを目的として、紡績装置のクリーニング動作が行われることがある。
【０００６】
また、特許文献１には開示されていないが、紡績機が、糸をパッケージに巻き取る前に糸を一時的に貯留する糸貯留装置を備えることがある。このような紡績機では、糸切れが発生した場合、糸継ぎを行って巻取りを再開する前に、糸貯留装置に残っている糸を除去する必要がある。
【０００７】
従来、巻取ユニットは、糸切れが発生した場合、糸継ぎのための準備動作（例えば、紡績装置のクリーニング動作、及び、糸貯留装置の残糸除去動作等）を完了させてから、糸継信号を発していた。従って、糸切れが発生してから糸継台車により糸継ぎを行って巻取りを再開するまでの時間が長期化し、作業効率を低下させる原因となっていた。
【０００８】
本発明の目的は、糸継作業を効率良く行い、糸継ぎの待ち時間を短縮できる糸巻取機を提供することにある。
【課題を解決するための手段及び効果】
【０００９】
本発明の第１の観点によれば、以下の構成の糸巻取機が提供される。即ち、この糸巻取機は、複数の巻取ユニットと、少なくとも１台の糸継台車と、を備える。前記巻取ユニットは、糸を巻き取る。前記糸継台車は、前記巻取ユニットに対する糸継動作を行う。前記巻取ユニットは、糸切れが発生した後、前記糸継動作を開始可能な状態に準備する準備動作を行う。前記糸継台車は、糸切れが発生した前記巻取ユニットに対する前記糸継動作を行う動作位置に位置するように、糸継走行を行う。糸継走行とは、現在位置を維持すること、又は、前記動作位置に向かって走行を開始すること、又は、所定計画走行を中止し前記動作位置で停止することである。前記準備動作が完了した前記巻取ユニットである完了巻取ユニットがなく、前記準備動作中の前記巻取ユニットである準備巻取ユニットがある場合、前記糸継台車は、前記準備巻取ユニットに対する前記糸継走行を行う。
【００１０】
このように、巻取ユニットが準備動作を行う期間に、糸継台車に糸継走行を行わせることで、糸継走行及び糸継動作を含む糸継作業を効率良く行い、糸継ぎの待ち時間を短縮することができる。
【００１１】
前記の糸巻取機において、前記巻取ユニットは、糸切れが発生した後、前記準備動作が完了する前に、糸継予告信号を送信する制御部を備えることが好ましい。
【００１２】
これにより、簡単な構成で、糸継動作を行う予定の動作位置に対する糸継台車の糸継走行の開始タイミングを指示することができる。
【００１３】
前記の糸巻取機においては、以下の構成とすることが好ましい。即ち、前記巻取ユニットは、検出部を備える。前記検出部は、前記準備動作の成否を検出する。前記制御部は、前記検出部が前記準備動作の失敗を検出した場合に、前記糸継予告信号を取り消す。
【００１４】
これにより、糸継予告信号の送信後に準備動作に失敗した準備巻取ユニットへの糸継走行を素早く取り消して、糸継台車は他の巻取ユニットからの糸継要求に対応可能な準備ができる。
【００１５】
前記の糸巻取機において、前記制御部は、前記準備動作が完了した後、準備完了信号を送信することが好ましい。
【００１６】
これにより、巻取ユニットに対する糸継動作を開始可能であることを糸継台車に知らせることができる。
【００１７】
前記の糸巻取機において、前記糸継台車は、ある前記準備巻取ユニットに対する前記糸継走行を行う間に、前記準備巻取ユニットの前記準備動作の動作時間に基づいて定められた第１走行時間内で現在の走行位置から到達可能な範囲内に位置する他の前記準備巻取ユニットが前記糸継予告信号を送信した場合、当初の前記準備巻取ユニットに対する前記糸継走行を中止し、前記糸継予告信号を送信した他の前記準備巻取ユニットに対する前記糸継走行を行うことが好ましい。
【００１８】
これにより、各巻取ユニットの状況に応じて、糸継台車は、現在の走行位置に近い位置にある巻取ユニットに対して優先的に糸継作業を行うことができる。従って、複数の準備巻取ユニットに対する糸継作業を効率的に行うことができる。
【００１９】
前記の糸巻取機において、前記糸継台車は、ある前記準備巻取ユニットが前記糸継予告信号を送信し、ある前記完了巻取ユニットが前記準備完了信号を送信した場合、前記準備完了信号に基づく前記糸継走行を優先して行うことが好ましい。
【００２０】
これにより、準備巻取ユニットと完了巻取ユニットとが同時に存在する場合に、糸巻取機全体として糸継台車の糸継作業を効率的に行うことができる。
【００２１】
前記の糸巻取機において、前記糸継台車は、前記糸継予告信号を送信した前記準備巻取ユニットに対する前記糸継走行を行う間に、前記準備巻取ユニットの前記準備動作の動作時間に基づいて定められた第２走行時間内で現在の走行位置から到達可能な範囲内に位置する前記完了巻取ユニットが前記準備完了信号を送信した場合、前記準備巻取ユニットに対する前記糸継走行を中止し、前記準備完了信号を送信した前記完了巻取ユニットに対する前記糸継走行を行うことが好ましい。
【００２２】
これにより、各巻取ユニットの状況に応じて、糸継作業を行う優先順位を柔軟に変更することができる。
【００２３】
前記の糸巻取機においては、以下の構成とすることが好ましい。即ち、糸巻取機は、空気紡績装置を備える。前記空気紡績装置は、繊維束に旋回空気流によって撚りを加えて糸を生成する。前記巻取ユニットは、糸切れが発生した後、前記糸継台車が前記糸継動作を行う前の期間に、前記準備動作として、前記空気紡績装置のクリーニング動作を行う。前記糸継台車は、前記準備巻取ユニットが前記糸継予告信号を送信した場合、当該準備巻取ユニットが前記クリーニング動作を行う間に、前記糸継走行を行う。
【００２４】
これにより、空気紡績装置のクリーニング動作と、糸継台車の糸継走行と、を同時並行的に行うことができ、糸継作業を効率的に行うことができる。
【００２５】
前記の糸巻取機においては、以下の構成とすることが好ましい。即ち、糸巻取機は、糸貯留ローラを備える。前記糸貯留ローラは、糸を一時的に貯留する。前記巻取ユニットは、糸切れが発生した後、前記糸継台車が前記糸継動作を行う前の期間に、前記準備動作として、前記糸貯留ローラに残っている糸を当該糸貯留ローラから除去する残糸除去動作を行う。前記糸継台車は、前記準備巻取ユニットが前記糸継予告信号を送信した場合、当該準備巻取ユニットが前記残糸除去動作を行う間に、前記糸継走行を行う。
【００２６】
これにより、残糸除去動作と、糸継台車の糸継走行と、を同時並行的に行うことができ、糸継作業を効率的に行うことができる。
【００２７】
前記の糸巻取機において、前記巻取ユニットのそれぞれは、前記糸継予告信号を送信したことを表示する表示部を備えることが好ましい。
【００２８】
これにより、オペレータが、糸継予告信号を送信した巻取ユニットを容易に識別することができる。
【００２９】
本発明の第２の観点によれば、以下の糸巻取方法が提供される。即ち、この糸巻取方法は、複数の巻取ユニットで糸を綾振りながら巻き取ってパッケージを形成する。この糸巻取方法は、準備工程と、糸継走行工程と、を含む。前記準備工程では、前記巻取ユニットにおいて、糸切れが発生した後、糸継動作を開始可能な状態に準備する。前記糸継走行工程では、前記巻取ユニットに対する糸継動作を行う糸継台車が、糸切れが発生した前記巻取ユニットに対する前記糸継動作を行う動作位置に位置するように、現在位置を維持する、又は、前記動作位置に向かって走行を開始する、又は、現在の走行を中止し前記動作位置で停止する。前記準備工程が完了した前記巻取ユニットである完了巻取ユニットがなく、前記準備工程を行う中の前記巻取ユニットである準備巻取ユニットがある場合、前記準備巻取ユニットに対する糸継走行工程が行われる。
【００３０】
これにより、巻取ユニットで準備工程が行われる期間に、糸継走行工程を行うことで、糸継ぎの待ち時間を短縮することができる。
【図面の簡単な説明】
【００３１】
【図１】本発明の一実施形態に係る精紡機の全体的な構成を示す正面図。
【図２】紡績ユニット及び糸継台車を示す側面図。
【図３】糸継予告信号に対する糸継台車の走行を示す模式図。
【図４】２つの準備紡績ユニットが異なるタイミングで現れた状態を示す模式図。
【図５】準備紡績ユニットと完了紡績ユニットとが同時に存在する状態を示す模式図。
【図６】準備紡績ユニットと完了紡績ユニットとが異なるタイミングで現れた状態を示す模式図。
【図７】糸継台車の作業領域の変形例を示す模式図。
【発明を実施するための形態】
【００３２】
次に、本発明の一実施形態に係る精紡機（糸巻取機）１について、図面を参照して説明する。以下の説明において「上流」及び「下流」とは、紡績糸（糸）１０の巻取時における、スライバ１５、繊維束８、及び紡績糸１０の走行方向での上流及び下流を意味する。
【００３３】
図１に示す精紡機１は、ブロアボックス８０と、原動機ボックス５と、一列に並べて配置された複数の紡績ユニット（巻取ユニット）２と、糸継台車３と、を備えている。
【００３４】
精紡機１は、各構成を制御する中央制御装置４を備えている。中央制御装置４は、各紡績ユニット２が備える後述のユニット制御部５０（図２を参照）に、図略の信号線を介して接続される。ユニット制御部５０は、１つの紡績ユニット２につき１つではなく、所定の複数の紡績ユニット２につき１つ設けられていても良い。
【００３５】
図１のブロアボックス８０内には、各紡績ユニット２に負圧を供給するための負圧源等が配置されている。原動機ボックス５には、各紡績ユニット２に共通の駆動源が配置されている。
【００３６】
本実施形態の精紡機１においては、各紡績ユニット２には、それぞれを識別できるように識別子としてのユニット番号が割り当てられている。具体的には、図３に丸付き数字で示すように、各紡績ユニット２には、精紡機１の機台の一端から１番，２番，３番，・・・とユニット番号が割り当てられている。図面には全ての紡績ユニット２が示されていないが、本実施形態の精紡機１は、例えば９６台の紡績ユニット２を備えている。
【００３７】
図１に示すように、各紡績ユニット２は、主として、上流から下流へ向かって順に配置された、紡績装置９と、巻取装置１３と、を備えている。
【００３８】
紡績ユニット２は、更に、ドラフト装置７と、糸貯留装置１２と、を備えている。
【００３９】
ドラフト装置７は、精紡機１が備えるフレーム６の上端近傍に設けられている。ドラフト装置７は、図２に示すように、上流側から順に、バックローラ対１６、サードローラ対１７、ミドルローラ対１９、及びフロントローラ対２０の４つのドラフトローラ対を備えている。ミドルローラ対１９には、エプロンベルト１８が各ローラに対して設けられている。
【００４０】
ドラフト装置７は、図略のスライバケースから供給されるスライバ１５を、ドラフトローラ対に含まれるローラ同士の間で挟み込んで搬送することにより、所定の繊維量（又は太さ）となるまで引き伸ばして（ドラフトして）、繊維束８を生成する。ドラフト装置７で生成された繊維束８は、紡績装置９に供給される。
【００４１】
紡績装置（空気紡績装置）９は、図略の紡績ノズルを備え、紡績ノズルから紡績装置９の内部に圧縮空気が噴射されることによって発生する旋回空気流により、ドラフト装置７から供給された繊維束８に撚りを加えて、紡績糸（糸）１０を生成する。
【００４２】
本実施形態では、紡績装置９は、図略のノズルブロックと、中空ガイド軸体と、を備えている。ノズルブロックは、繊維案内部と、紡績ノズルと、紡績室と、を備える。中空ガイド軸体は、糸通路と、第２ノズルと、を備える。紡績装置９の動作は、ユニット制御部５０により制御されている。
【００４３】
繊維案内部は、ドラフトされた繊維束８を紡績装置９の内部（紡績室）に向けて案内する部材である。紡績装置９は、紡績ノズルから紡績室内に空気を噴射して、紡績室内の繊維束８に旋回空気流を作用させる。この旋回空気流の作用を受けて、繊維束８を構成する複数の繊維の各繊維端が反転されて旋回させられる。中空ガイド軸体は、円筒状の部材であり、内部に糸通路が形成されている。中空ガイド軸体は、紡績糸１０を紡績室内から紡績装置９の外部に案内する。
【００４４】
紡績動作を開始するための糸出し紡績を行うときに、紡績装置９は、第２ノズルから糸通路内に空気を噴射することで、糸通路内に旋回空気流を発生させる。糸通路内に発生させられる旋回空気流の方向は、紡績室の旋回空気流の方向とは逆である。これにより、ドラフト装置７から繊維束８が紡績装置９に導入され、紡績糸１０の生成が開始される。
【００４５】
ピーシングにより紡績糸１０を接続する場合、中空ガイド軸体は第２ノズルを備えず、別のノズルを備え、パッケージ４５からの紡績糸１０を紡績装置９内に逆送させるために当該別のノズルから空気が噴射される。
【００４６】
紡績装置９の下流には、糸貯留装置１２が設けられている。糸貯留装置１２は、図２に示すように、糸貯留ローラ１４と、当該糸貯留ローラ１４を回転駆動するモータ２５と、第１貯留糸検出センサ２１と、第２貯留糸検出センサ２２と、を備えている。
【００４７】
糸貯留ローラ１４は、その外周面に一定量の紡績糸１０を巻き付けて一時的に貯留する。糸貯留ローラ１４は、外周面に紡績糸１０を巻き付けた状態で所定の回転速度で回転することにより、紡績装置９から紡績糸１０を所定の速度で引き出して下流側に搬送する。
【００４８】
このように、糸貯留装置１２は、糸貯留ローラ１４の外周面に紡績糸１０を一時的に貯留することができるので、紡績糸１０の一種のバッファとして機能する。これにより、紡績装置９における紡績速度と、巻取速度（後述のパッケージ４５へ巻き取られる紡績糸１０の走行速度）と、が何らかの理由により一致しないことによる不具合（例えば、紡績糸１０の弛み等）を解消することができる。
【００４９】
第１貯留糸検出センサ２１及び第２貯留糸検出センサ２２のそれぞれは、発光素子と受光素子とを備える反射型のフォトセンサから構成されている。第１貯留糸検出センサ２１は、糸貯留ローラ１４に貯留されている紡績糸１０の貯留量が所定量以上であるか否かを検出する。第２貯留糸検出センサ２２は、第１貯留糸検出センサ２１より下流側に配置され、糸貯留ローラ１４に貯留されている紡績糸１０の貯留量が制限値（所定最大量）以下であるか否かを検出する。
【００５０】
第１貯留糸検出センサ２１及び第２貯留糸検出センサ２２は、糸切れが発生した後に行われる後述の準備動作の成否を検出する検出部の機能も有している。
【００５１】
紡績装置９と糸貯留装置１２との間には、糸監視装置５９が設けられている。紡績装置９で生成された紡績糸１０は、糸貯留装置１２で巻き取られる前に糸監視装置５９を通過する。
【００５２】
糸監視装置５９は、走行する紡績糸１０の品質（太さ等）を光透過式のセンサによって監視し、紡績糸１０に含まれる糸欠陥（紡績糸１０の太さなどに異常がある箇所、異物等）を検出する。糸監視装置５９は、紡績糸１０の糸欠陥を検出した場合、ユニット制御部５０へ糸欠陥検出信号を送信する。糸監視装置５９は光透過式のセンサに限定されず、例えば静電容量式センサを用いて紡績糸１０の品質を監視しても良い。
【００５３】
ユニット制御部５０は、糸監視装置５９から糸欠陥検出信号を受信すると、紡績装置９の駆動を停止させることによって紡績糸１０を切断する。即ち、紡績装置９は、糸監視装置５９が糸欠陥を検出したときに紡績糸１０を切断する切断部としての機能を有している。なお、カッタを用いて紡績糸１０を切断しても良い。
【００５４】
巻取装置１３は、クレードルアーム７１と、巻取ドラム７２と、トラバースガイド７６と、を備えている。クレードルアーム７１は、支軸７３まわりに揺動可能に支持されており、紡績糸１０を巻き取るためのボビン４８（即ちパッケージ４５）を回転可能に支持することができる。巻取ドラム７２は、前記ボビン４８又はパッケージ４５の外周面に接触した状態で回転することでパッケージ４５を巻取方向に回転駆動する。巻取装置１３は、トラバースガイド７６を図略の駆動手段によって往復動させながら巻取ドラム７２を図略の電動モータによって駆動する。これにより、紡績糸１０を綾振りしつつ、紡績糸１０をパッケージ４５に巻き取る。
【００５５】
図１に示すように、精紡機１のフレーム６には、紡績ユニット２が並ぶ方向に沿って、レール４１が配設されている。糸継台車３は、レール４１の上を走行できるように構成されている。
【００５６】
本実施形態の精紡機１において、９６台の紡績ユニット２に対して、４台の糸継台車３が設けられている。当該４台の糸継台車３に対して、それぞれの専属作業領域が設けられている。例えば、図３に示す糸継台車３の専属作業領域は、１〜２４番の紡績ユニット２が配置された領域である。紡績ユニット２からの糸継要求がない場合、各糸継台車３は、それぞれの作業領域の中央位置で待機している。ただし、糸継台車３は、糸継動作を終了した位置で待機していても良い。あるいは、糸継台車３は、当該位置から所定距離を移動した位置で待機していても良い。
【００５７】
糸継台車３は、糸切れが発生した紡績ユニット２に対する糸継作業を行う。ユニット制御部５０は、例えば、糸貯留装置１２の下流に配置された図略の糸走行センサにより、紡績糸１０が無いことを検出すると、糸切れが発生したと判断する。糸切れの発生は、他のセンサにより検出しても良い。当該糸継作業は、糸継走行と糸継動作を含む。糸継走行は、糸継ぎに関する信号を受信した位置から糸継動作が行われる動作位置までの走行である。糸継動作は、糸端を捕捉して糸継ぎする動作である。
【００５８】
糸継台車３は、図１等に示すように、走行車輪４２と、糸継装置４３と、糸捕捉部（サクションパイプ４４及びサクションマウス４６）と、台車制御部７０と、位置検出部（信号送信部６１及び図略のドグセンサ）と、を備えている。
【００５９】
走行車輪４２は、図略のモータによって回転駆動可能に構成されている。この走行車輪４２を駆動することにより、糸継台車３を、レール４１に沿って複数の紡績ユニット２に対して走行させることができる。
【００６０】
サクションパイプ４４は、その先端に吸引空気流を発生させることにより、紡績装置９から送出される紡績糸１０を吸い込んで捕捉することができる。サクションマウス４６は、その先端に吸引空気流を発生させることにより、巻取装置１３に支持されたパッケージ４５から紡績糸１０を吸い込んで捕捉することができる。サクションパイプ４４とサクションマウス４６は、紡績糸１０を捕捉した状態で回動することにより、当該紡績糸１０を糸継装置４３に導入できる位置まで案内する。
【００６１】
糸継装置４３は、サクションパイプ４４によって案内された紡績装置９からの紡績糸１０と、サクションマウス４６によって案内されたパッケージ４５からの紡績糸１０と、を糸継ぎする。本実施形態において、糸継装置４３は、旋回空気流によって糸端同士を撚り合わせるスプライサ装置である。糸継装置４３は上記スプライサ装置に限定せず、例えば機械式のノッタ等を採用することもできる。
【００６２】
糸継台車３が糸継装置４３を備える場合、糸継動作には、サクションパイプ４４により紡績装置９からの紡績糸１０を糸継装置４３に案内する動作と、サクションマウス４６によりパッケージ４５からの紡績糸１０を糸継装置４３に案内する動作と、糸継装置４３により紡績糸１０を継ぐ動作と、が含まれる。
【００６３】
糸継台車３は、糸継動作としてピーシングを行うことにより、紡績糸１０を接続する構成であっても良い。この場合、糸継台車３は糸継装置４３を備えない。
【００６４】
台車制御部７０は、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）等を有する公知のコンピュータとして構成されており、糸継台車３が備える各部の動作を制御することにより、糸継台車３が行う糸継作業を制御する。
【００６５】
信号送信部６１は、当該信号送信部６１に対向する位置に位置する紡績ユニット２に対して所定の位置確認信号を無線で送信する。図３に示すように、各紡績ユニット２は、当該位置確認信号を受信する受信部６２を備えている。
【００６６】
台車制御部７０は、糸継台車３の走行が停止した際に、その停止位置で信号送信部６１と対向する紡績ユニット２に対して、位置確認信号を信号送信部６１から送信する。紡績ユニット２のユニット制御部５０は、糸継台車３からの位置確認信号を受信部６２で受信した場合、当該紡績ユニット２のユニット番号を含む応答信号を、糸継台車３に送信する。これにより、糸継台車３は、当該台車の現在位置を得ることができる。ユニット制御部５０は、中央制御装置４を介して、紡績ユニット２のユニット番号を含む応答信号を糸継台車３に送信しても良い。
【００６７】
ドグセンサは、各紡績ユニット２に設けられた図略のドグを検知する。糸継台車３がレール４１を走行する際に、台車制御部７０は、ドグセンサによって検出されたドグの数をカウントすることにより、当該糸継台車３が何ユニット分を移動したかを把握できる。これにより、糸継台車３は、走行中の当該台車の位置（走行位置）を取得することができる。
【００６８】
続いて、糸継台車３が行う糸継走行（糸継走行工程）について、図面を参照して説明する。糸継台車３が行う糸継走行は、例えば、下記のような場合に行われる走行である。
【００６９】
ある紡績ユニット２に対応する位置に糸継台車３が待機していて、その紡績ユニット２から糸継ぎに関する信号を受信した場合、糸継台車３が行う糸継走行は、現在位置を維持することである。即ち、糸継台車３は走行せず、そのまま待機する。
【００７０】
別の例として、糸継台車３が待機しているとき、待機位置から離れた位置の紡績ユニット２から糸継ぎに関する信号を受信した場合、糸継台車３が行う糸継走行は、現在位置から糸継ぎに関する信号を送信した紡績ユニット２に対する動作位置までの走行である。
【００７１】
更に別の例として、ある紡績ユニット２に向かって糸継台車３が走行している間（即ち、糸継台車３が、ある所定計画に基づいて走行している間）に、優先順位がより高い別の紡績ユニット２が現れた場合、糸継台車３が行う糸継走行は、当初の走行先の紡績ユニット２への走行を中止して、優先順位が高い紡績ユニット２に向かって走行することである。
【００７２】
当該糸継ぎに関する信号は、まもなく糸継動作を行う必要が生じることを予告する糸継予告信号と、準備動作が完了し糸継動作を開始できることを示す準備完了信号と、を含む。
【００７３】
本実施形態の精紡機１において、何らかの理由により紡績装置９とパッケージ４５との間の紡績糸１０に糸切れが発生した場合、ユニット制御部５０は、糸継台車３が行う糸継動作の前段階の動作である準備動作（準備工程）を行う。ユニット制御部５０は、当該準備動作を行う間に、糸継台車３の台車制御部７０に糸継予告信号を送信する。
【００７４】
当該準備動作は、紡績装置９の紡績ノズルによるクリーニング動作、及び、糸貯留ローラ１４に残っている紡績糸１０を除去する残糸除去動作を含む。本実施形態では、クリーニング動作と残糸除去動作が同時に開始される。しかし、何れかの準備動作を先に開始しても良い。
【００７５】
クリーニング動作の一例について、より詳細に説明する。ユニット制御部５０は、糸切れが発生したと判断すると、ドラフト装置７及び紡績装置９の紡績動作を停止させ、中空ガイド軸体をノズルブロックから離間させて紡績室を開放する。この状態で紡績ノズルから空気を所定時間噴射させることにより、クリーニング動作が行われる。紡績ノズルからの空気の噴射が停止し、クリーニング動作が終了すると、中空ガイド軸体は元の位置に戻る。
【００７６】
残糸除去動作の一例について、より詳細に説明する。糸切れが発生した場合、糸貯留装置１２より下流側の紡績糸１０はパッケージ４５に巻き取られるが、糸貯留ローラ１４に巻かれていた紡績糸１０は、パッケージ４５に巻き取られずに、糸貯留ローラ１４上に残る。本実施形態では、糸貯留装置１２は、糸貯留ローラ１４の下流側端部に対向するように配置された図略の残糸除去装置を備える。糸貯留装置１２は、糸貯留ローラ１４をパッケージ４５の巻取り時とは反対方向に回転させ、残糸除去装置の吸引パイプの吸引口に吸引流を発生させることにより、糸貯留ローラ１４上の残糸を残糸除去装置により吸引して除去する。
【００７７】
クリーニング動作及び残糸除去動作が完了した後、糸継台車３が動作位置に到着している場合、ユニット制御部５０は、ドラフト装置７及び紡績装置９の動作を再開させ、サクションパイプ４４により紡績装置９で生成された紡績糸１０を捕捉して、糸継装置４３で糸継可能な位置に案内する。糸継装置４３は、サクションパイプ４４によって案内された紡績装置９からの紡績糸１０と、サクションマウス４６によって案内されたパッケージ４５からの紡績糸１０と、を糸継ぎする。糸継装置４３により糸継ぎが完了した後、紡績ユニット２における糸巻取作業が再開される。
【００７８】
ユニット制御部５０は、紡績装置９の紡績動作の開始後、例えば、糸監視装置５９の検出結果に基づいて、クリーニング動作（準備動作）の成否を判定している。準備動作を行った後に紡績装置９の紡績動作を開始しても糸監視装置５９により紡績糸１０が検出されない場合、ユニット制御部５０は、クリーニング動作に失敗したと判定する。ユニット制御部５０は、糸監視装置５９に加えて、あるいは糸監視装置５９に代えて、サクションパイプ４４内に設けられた図略のセンサ、及び／又は紡績装置９に設けられたセンサの検出結果に基づいて、クリーニング動作の成否を判定しても良い。
【００７９】
ユニット制御部５０は、第１貯留糸検出センサ２１及び／又は第２貯留糸検出センサ２２の検出結果に基づいて、残糸除去動作（準備動作）の成否を判定している。残糸除去動作を行っても、糸貯留ローラ１４に紡績糸１０が残っていることが第１貯留糸検出センサ２１及び第２貯留糸検出センサ２２により検出された場合、ユニット制御部５０は、残糸除去動作に失敗したと判定する。
【００８０】
準備動作が失敗した場合、ユニット制御部５０は、糸継予告信号を取り消す旨の信号である予告取消信号を台車制御部７０に送信する。この場合、糸継台車３は、現在の走行位置で停止して待機しても良いし、作業領域の中央位置に戻って待機しても良い。
【００８１】
ユニット制御部５０は、糸継動作のための準備動作を完了した後（準備動作が成功した後）、台車制御部７０に、準備完了信号を送信する。
【００８２】
各紡績ユニット２は、図３に示すように、糸継予告信号又は準備完了信号を送信したことを表示する表示部６０を備える。表示部６０は、ユニット制御部５０により糸継予告信号又は準備完了信号を送信した場合、紡績ユニット２に設けられたＬＥＤ（ランプ）を点灯させる。表示部６０は、ユニット制御部５０により糸継予告信号を取り消した場合、又は、糸継動作が完了した場合等に、ＬＥＤを消灯する。これにより、オペレータは紡績ユニット２の状態を容易に確認することができる。
【００８３】
以下の説明においては、糸切れが発生した後、準備動作を行う紡績ユニット２を準備紡績ユニット（準備巻取ユニット）２ａと称し、準備動作が完了して糸継動作が可能になった紡績ユニット２を完了紡績ユニット（完了巻取ユニット）２ｂと称する。
【００８４】
図３に示すように、台車制御部７０は、準備完了信号を送信した完了紡績ユニット２ｂが存在せず、準備紡績ユニット２ａから糸継予告信号を受信した場合は、糸継台車３に、準備紡績ユニット２ａに対する動作位置への糸継走行を開始させる。即ち、準備紡績ユニット２ａが準備動作を行う間に、糸継台車３は糸継走行を行う。
【００８５】
このように、精紡機１において、準備紡績ユニット２ａの準備動作と、糸継台車３の糸継走行と、を同時並行的に行うことができる。糸継台車３は、準備紡績ユニット２ａの準備動作の完了前に、当該準備紡績ユニット２ａに対する動作位置に向けて走行を開始する。糸継台車３が動作位置に到着したときに準備動作が完了していなければ、糸継台車３は動作位置で停止して待機する。糸継台車３が動作位置に到着したときに準備動作が完了していれば、糸継台車３は直ちに糸継動作を開始する。このように準備工程と糸継走行工程を同時に行うことで、糸継作業を効率良く行い、糸切れが発生してから糸継ぎが完了するまでの糸継サイクルの時間を短縮することができる。
【００８６】
図４に示すように、２４番の準備紡績ユニット２ａが先に糸継予告信号を送信し、２０番の準備紡績ユニット２ａが後となるタイミングで糸継予告信号を送信した場合について、説明する。糸継台車３は、２４番の準備紡績ユニット２ａに向かって走行を開始したが、２４番の準備紡績ユニット２ａに到着する前に、２０番の準備紡績ユニット２ａから糸継予告信号を受信する。この状況では、台車制御部７０は、２０番の準備紡績ユニット２ａが第１走行時間内で到達可能な範囲内であるか否かに基づいて、走行先の目標紡績ユニットを変更するか否かを判定する。
【００８７】
２０番の準備紡績ユニット２ａが第１走行時間内で到達可能な範囲内に配置されている場合、台車制御部７０は、糸継台車３の目標紡績ユニットを当該２０番の準備紡績ユニット２ａに変更する。糸継台車３は、２４番の準備紡績ユニット２ａに対する糸継走行を中止し、２０番の準備紡績ユニット２ａに対する糸継走行を開始する。
【００８８】
２０番の準備紡績ユニット２ａが第１走行時間内で到達可能な範囲内に配置されていない場合、台車制御部７０は、糸継台車３の目標紡績ユニットを変更せず、糸継台車３は、そのまま２４番の準備紡績ユニット２ａに向かって走行する。
【００８９】
前記第１走行時間は、先に糸継予告信号を送信した準備紡績ユニット２ａの準備動作の動作時間、及び、後に糸継予告信号を送信した準備紡績ユニット２ａの準備動作の動作時間に基づいて定めることが好ましい。また、第１走行時間は、現在の走行位置から、先に糸継予告信号を送信した準備紡績ユニット２ａに対する動作位置まで糸継台車３が走行するのに必要な時間を考慮して定めることが好ましい。
【００９０】
このように、本実施形態の台車制御部７０は、糸継予告信号を送信した準備紡績ユニット２ａが複数ある場合には、どちらが糸継予告信号を先に送信したかにかかわらず、糸継動作を先に開始できる準備紡績ユニット２ａの糸継動作を優先して行うように、糸継台車３の糸継走行を制御している。
【００９１】
図５に示すように、ある紡績ユニット２に対する糸継動作中に、完了紡績ユニット２ｂと準備紡績ユニット２ａの両方が発生した場合について、説明する。この場合は、紡績ユニット２の糸継動作を終えた後に、台車制御部７０は、糸継予告信号を送信した準備紡績ユニット２ａよりも、準備完了信号を送信した完了紡績ユニット２ｂの糸継動作を優先して行うように、糸継台車３の糸継走行を制御する。即ち、糸継台車３は、現在の糸継動作が完了した後、完了紡績ユニット２ｂに向かって糸継走行を開始する。
【００９２】
しかし、本実施形態は上記例に限定せず、例えば、完了紡績ユニット２ｂに対する糸継走行の時間が、準備紡績ユニット２ａの準備動作の動作時間より大きく、かつ、準備紡績ユニット２ａの準備動作が完了するまでに糸継台車３が当該準備紡績ユニット２ａに対する動作位置まで到着できる場合、準備紡績ユニット２ａに対する糸継作業を優先的に行っても良い。
【００９３】
図６に示すように、２４番の準備紡績ユニット２ａが先に糸継予告信号を送信し、２番の完了紡績ユニット２ｂが後となるタイミングで準備完了信号を送信した場合について、説明する。糸継台車３は、先に糸継予告信号を送信した２４番の準備紡績ユニット２ａに向かって走行を開始したが、その準備紡績ユニット２ａに到着する前に、２番の完了紡績ユニット２ｂから準備完了信号を受信する。この状況では、台車制御部７０は、２番の完了紡績ユニット２ｂが第２走行時間内で到達可能な範囲内であるか否かに基づいて、目標紡績ユニットを変更するか否かを判定する。
【００９４】
２番の完了紡績ユニット２ｂが第２走行時間内で到達可能な範囲内に配置されている場合、台車制御部７０は、糸継台車３の目標紡績ユニットを当該完了紡績ユニット２ｂに変更する。糸継台車３は、２番の完了紡績ユニット２ｂに向かって走行する。
【００９５】
２番の完了紡績ユニット２ｂが第２走行時間内で到達可能な範囲内に配置されていない場合、台車制御部７０は、糸継台車３の目標紡績ユニットを変更せず、糸継台車３は、そのまま２４番の準備紡績ユニット２ａに向かって走行する。
【００９６】
前記第２走行時間は、準備紡績ユニット２ａの準備動作の動作時間に基づいて定めることが好ましい。また、第２走行時間は、糸継台車３の現在の走行位置から、完了紡績ユニット２ｂに対する動作位置まで糸継台車３が走行するのに必要な時間を考慮して定めることが好ましい。これにより、原則的には優先的に処理すべきである完了紡績ユニット２ｂが現れても、糸継台車３の現在の走行位置と、準備紡績ユニット２ａ及び完了紡績ユニット２ｂのそれぞれの位置と、に基づいて、糸継サイクルの時間を短縮する観点から、各紡績ユニット２に優先順位を適切に付けて糸継台車３により糸継作業を行うことができる。
【００９７】
以上に説明したように、本実施形態の精紡機１は、複数の紡績ユニット２と、少なくとも１台の糸継台車３と、を備える。紡績ユニット２は、紡績糸１０を巻き取る。糸継台車３は、紡績ユニット２に対する糸継動作を行う。紡績ユニット２は、糸切れが発生した後、糸継動作を開始可能な状態に準備する準備動作を行う。糸継台車３は、糸切れが発生した紡績ユニット２に対する糸継動作を行う動作位置に位置するように、糸継走行を行う。糸継走行とは、現在位置を維持すること、又は、動作位置に向かって走行を開始すること、又は、所定計画走行を中止し動作位置で停止することである。準備動作が完了した紡績ユニット２である完了紡績ユニット２ｂがなく、準備動作中の紡績ユニット２である準備紡績ユニット２ａがある場合、糸継台車３は、準備紡績ユニット２ａに対する糸継走行を行う。
【００９８】
このように、紡績ユニット２が準備動作を行う期間に、糸継台車３に糸継走行を行わせることで、糸継走行及び糸継動作を含む糸継作業を効率良く行い、紡績ユニット２における糸継ぎの待ち時間を短縮することができる。
【００９９】
精紡機１において、紡績ユニット２は、糸切れが発生した後、準備動作が完了する前に、糸継予告信号を送信するユニット制御部５０を備える。
【０１００】
これにより、簡単な構成で、糸継動作を行う予定の動作位置に対する糸継台車３の糸継走行の開始タイミングを指示することができる。
【０１０１】
精紡機１においては、紡績ユニット２は、第１貯留糸検出センサ２１及び第２貯留糸検出センサ２２を備える。第１貯留糸検出センサ２１及び第２貯留糸検出センサ２２は、準備動作の成否を検出する。ユニット制御部５０は、第１貯留糸検出センサ２１及び第２貯留糸検出センサ２２が準備動作の失敗を検出した場合に、糸継予告信号を取り消す。
【０１０２】
これにより、糸継予告信号の送信後に準備動作に失敗した準備紡績ユニット２ａへの糸継走行を素早く取り消して、当該糸継台車３が他の紡績ユニット２からの糸継要求に対応可能な準備ができる。
【０１０３】
精紡機１において、ユニット制御部５０は、準備動作が完了した後、準備完了信号を送信する。
【０１０４】
これにより、紡績ユニット２に対する糸継動作を開始可能であることを糸継台車３に知らせることができる。
【０１０５】
精紡機１において、糸継台車３は、ある準備紡績ユニット２ａに対する糸継走行を行う間に、当該準備紡績ユニット２ａの準備動作の動作時間に基づいて定められた第１走行時間内で現在の走行位置から到達可能な範囲内に位置する他の準備紡績ユニット２ａが糸継予告信号を送信した場合、当初の準備紡績ユニット２ａに対する糸継走行を中止し、糸継予告信号を送信した他の準備紡績ユニット２ａに対する糸継走行を行う。
【０１０６】
これにより、各紡績ユニット２の状況に応じて、糸継台車３は、現在の走行位置に近い位置にある紡績ユニット２に対して優先的に糸継作業を行うことができる。従って、複数の準備紡績ユニット２ａに対する糸継作業を精紡機１全体として効率的に行うことができる。
【０１０７】
精紡機１において、糸継台車３は、ある準備紡績ユニット２ａが糸継予告信号を送信し、ある完了紡績ユニット２ｂが準備完了信号を送信した場合、準備完了信号に基づく糸継走行を優先して行う。
【０１０８】
これにより、準備紡績ユニット２ａと完了紡績ユニット２ｂとが同時に存在する場合に、精紡機１全体として糸継台車３の糸継作業を効率的に行うことができる。
【０１０９】
精紡機１において、糸継台車３は、糸継予告信号を送信した準備紡績ユニット２ａに対する糸継走行を行う間に、当該準備紡績ユニット２ａの準備動作の動作時間に基づいて定められた第２走行時間内で現在の走行位置から到達可能な範囲内に位置する完了紡績ユニット２ｂが準備完了信号を送信した場合、準備紡績ユニット２ａに対する糸継走行を中止し、準備完了信号を送信した完了紡績ユニット２ｂに対する糸継走行を行う。
【０１１０】
これにより、各紡績ユニット２の状況に応じて、糸継作業を行う優先順位を柔軟に変更することができる。
【０１１１】
精紡機１は、紡績装置９を備える。紡績装置９は、繊維束８に旋回空気流によって撚りを加えて紡績糸１０を生成する。紡績ユニット２は、糸切れが発生した後、糸継台車３が糸継動作を行う前の期間に、準備動作として、紡績装置９のクリーニング動作を行う。糸継台車３は、準備紡績ユニット２ａが糸継予告信号を送信した場合、当該準備紡績ユニット２ａがクリーニング動作を行う間に、糸継走行を行う。
【０１１２】
これにより、紡績装置９のクリーニング動作と、糸継台車３の糸継走行と、を同時並行的に行うことができ、糸継作業を効率的に行うことができる。
【０１１３】
精紡機１は、糸貯留ローラ１４を備える。糸貯留ローラ１４は紡績糸１０を一時的に貯留する。紡績ユニット２は、糸切れが発生した後、糸継台車３が糸継動作を行う前の期間に、準備動作として、糸貯留ローラ１４に残っている紡績糸１０を当該糸貯留ローラ１４から除去する残糸除去動作を行う。糸継台車３は、準備紡績ユニット２ａが糸継予告信号を送信した場合、当該準備紡績ユニット２ａが残糸除去動作を行う間に、糸継走行を行う。
【０１１４】
これにより、残糸除去動作と、糸継台車３の糸継走行と、を同時並行的に行うことができ、糸継作業を効率的に行うことができる。
【０１１５】
精紡機１において、紡績ユニット２のそれぞれは、糸継予告信号を送信したことを表示する表示部６０を備える。
【０１１６】
これにより、オペレータが、糸継予告信号を送信した紡績ユニット２を容易に識別することができる。
【０１１７】
以上に本発明の好適な実施の形態を説明したが、上記の構成は例えば以下のように変更することができる。以下の例の何れかを採用した場合であっても、糸継台車３は上記の糸継走行を行う。以下の例は適宜組み合わせることができる。
【０１１８】
クリーニング動作及び残糸除去動作は、準備動作の一例であり、紡績ユニット２が上記以外の動作を準備動作として行うように変更することもできる。また、紡績ユニット２は、準備動作として、クリーニング動作と残糸除去動作のうちの少なくとも何れかを実行しなくても良い。紡績ユニット２がクリーニング動作を行わない場合、中空ガイド軸体はノズルブロックに対して離間可能に設けられていなくても良い。
【０１１９】
それぞれの巻取ユニットにおいて、機台に対して、紡績糸１０が走行する糸道が下から上になるように各装置を配置しても良い。この場合、糸継台車３は、精紡機１の上部に設けられたレールに案内されながら走行する。
【０１２０】
精紡機１が、ロータ等を用いて繊維に撚りを掛けるオープンエンド精紡機として構成されても良い。この場合、糸切れが発生すると、糸継台車３は、パッケージ４５からの糸をロータに逆送させ、ロータによる紡績動作を再開することにより、糸継動作を行う。
【０１２１】
紡績ユニット２からの糸継要求がない場合、糸継台車３は、作業領域の両端の間を所定の速度で往復走行する所定計画走行を行っても良い。この場合、糸継台車３が糸継予告信号又は準備完了信号を受信すると、糸継台車３が、当該所定計画走行を中止して、信号を送信した紡績ユニット２に対する動作位置で停止する。
【０１２２】
複数の紡績ユニット２ごとにユニット制御部５０を設けても良いし、ユニット制御部５０を省略して、中央制御装置４が各紡績ユニット２の各構成を直接的に制御しても良い。
【０１２３】
糸継予告信号、準備完了信号、予告取消信号は、ユニット制御部５０が例えば中央制御装置４に送信するように構成しても良い。この場合、どの紡績ユニット２がどの信号を送信したかの情報を、中央制御装置４が糸継台車３の台車制御部７０に送信する。
【０１２４】
ユニット制御部５０は、第１貯留糸検出センサ２１の検出結果のみに基づいて、準備動作の成否を判定しても良い。
【０１２５】
紡績ユニット２は、デリベリローラ対により、紡績糸１０を紡績装置９から引き出しても良い。この場合、デリベリローラ対の下流には、糸貯留装置１２を設けても良い。あるいは、デリベリローラ対の下流に、糸貯留装置１２の代わりに、吸引空気流で紡績糸１０の弛みを吸収するスラックチューブ及び／又は機械式のコンペンセータを設けても良い。糸貯留装置１２を設けない場合、準備動作として、残糸除去動作は行わず、例えば、クリーニング動作を行う。
【０１２６】
表示部６０において、糸継予告信号を送信したことと、準備完了信号を送信したことと、を区別できるように、ＬＥＤが異なる色で発光したり、異なる場所に配置されたそれぞれのＬＥＤが発光したりしても良い。表示部６０は、ＬＥＤではなく、メッセージを表示可能な液晶パネルであっても良く、英数字にて状態を示す７セグメントのインジケーターであっても良い。
【０１２７】
糸継台車３は、１台以上３台以下又は５台以上設けられても良い。糸継台車３は、紡績ユニット２でパッケージ４５が満巻きになった場合に、パッケージ４５を排出する玉揚機能と、新しいボビン４８を供給する供給機能と、を備えていても良い。
【０１２８】
糸継台車３は、精紡機１の機台の長さ方向において、複数の糸継台車３が均等に配置された状態で待機しても良い。
【０１２９】
図７に示す精紡機１ｘのように、複数の糸継台車３に対して専属作業領域と重複作業領域との両方を設けても良い。
【０１３０】
具体的には、図７に示すように、第１糸継台車３ａに対して、１〜１６番の紡績ユニット２が配置された専属作業領域と、１７〜２４番の紡績ユニット２が配置された重複作業領域と、を設けている。
【０１３１】
第２糸継台車３ｂに対して、２５〜４０番の紡績ユニット２が配置された専属作業領域と、１７〜２４番の紡績ユニット２が配置された重複作業領域と、を設けている。
【０１３２】
重複作業領域に配置された紡績ユニット２に対しては、第１糸継台車３ａ及び第２糸継台車３ｂの何れも糸継作業を行うことができる。重複作業領域に配置された紡績ユニット２から糸継予告信号又は準備完了信号を受信した場合、各糸継台車３の台車制御部７０は、当該糸継台車３の現在位置と、他の糸継台車３の現在位置及び作業状態（動作中であるか否か）と、に基づいて、当該糸継台車３が糸継作業を行うべきか、それとも他の糸継台車３に糸継作業を任せるべきか、を決定する。
【符号の説明】
【０１３３】
１  精紡機
２  紡績ユニット
２ａ  準備紡績ユニット
２ｂ  完了紡績ユニット
３  糸継台車
１０  紡績糸
【図１】
2019196244.tif 000003
【図２】
2019196244.tif 000004
【図３】
2019196244.tif 000005
【図４】
2019196244.tif 000006
【図５】
2019196244.tif 000007
【図６】
2019196244.tif 000008
【図７】
2019196244.tif 000009